(57)【特許請求の範囲】
【請求項１】
電子ビームを被検査対象物に照射する電子照射系と、
前記電子照射系から出射され該被検査対象物に照射されるまでの電子ビームを通す鏡体と、
前記鏡体を通って出た電子ビームを該被検査対象物に照射して発生した二次電子を検出する二次電子検出系と、
前記二次電子検出系にて検出した二次電子に基づく信号を信号処理する信号処理系と、
前記電子照射系より出射した電子ビームが前記鏡体を通る際に前記鏡体に流れる電流値を計測し、該電流値と予め定めた電流値とビーム位置ずれとの関係に基づき電子ビームの照射位置を補正する補正手段と、
を備える計測または検査装置。
【請求項２】
請求項１記載の計測または検査装置であって、
前記鏡体は、複数の制御ケーブルを介してグラウンドと接続されており、
前記補正手段は、前記複数の制御ケーブルに流れるコモンモード電流を検出することで電子ビームが前記鏡体を通る際に前記鏡体に流れる電流値を計測する計測手段を備えることを特徴とする計測または検査装置。
【請求項３】
請求項１または２記載の計測または検査装置であって、
前記補正手段は、該電流値と予め定めた電流値とビーム位置ずれとの関係に基づき電子ビームの照射位置のずれを算出し、該照射位置のずれを補正するための偏向制御信号を算出する補正信号計算手段を備えることを特徴とする計測または検査装置。
【請求項４】
請求項３記載の計測または検査装置であって、
前記電子照射系では、前記補正信号計算手段により算出された偏向制御信号に基づき、前記電子照射系の偏向器を制御することを特徴とする計測または検査装置。
【請求項５】
請求項１記載の計測または検査装置であって、
前記補正手段では、前記電子照射系より出射した電子ビームが前記鏡体を通る際に前記鏡体に流れる電流値を直接計測する計測手段を備えることを特徴とする計測または検査装置。
【請求項６】
請求項５記載の計測または検査装置であって、
前記計測手段では、前記鏡体の周囲に複数のセンサを配置し、前記鏡体の表面を複数の領域に分割して電流を計測することで電流分布を求めることを特徴とする計測または検査装置。
【請求項７】
請求項６記載の計測または検査装置であって、
前記計測手段では、表面電流プローブまたは表面電流計測センサを用いて前記鏡体に流れる電流値を計測することを特徴とする計測または検査装置。
【請求項８】
請求項１記載の計測または検査装置であって、
前記補正手段では、計測した電流値に基づき前記鏡体に流れる電流ノイズに基づく発生磁場を打ち消すような電流を算出して前記鏡体に流すことを特徴とする計測または検査装置。
【請求項９】
電子ビームを被検査対象物に照射する電子照射工程と、
前記電子照射工程により出射された電子ビームを該被検査対象物に照射して発生した二次電子を検出する二次電子検出工程と、
前記二次電子検出工程にて検出した二次電子に基づく信号を信号処理する信号処理工程と、
前記電子照射工程において出射された電子ビームが該電子ビームの出射元と該被検査対象物との間に配置された鏡体の間を通る際に、該鏡体に流れる電流値を計測し、該電流値と予め定めた電流値とビーム位置ずれとの関係に基づき電子ビームの照射位置を補正する補正工程と、
を備える計測または検査方法。
【請求項１０】
請求項９記載の計測または検査方法であって、
該鏡体は、複数の制御ケーブルを介してグラウンドと接続されており、
前記補正工程は、該複数の制御ケーブルに流れるコモンモード電流を検出することで電子ビームが該鏡体を通る際に該鏡体に流れる電流値を計測する計測工程を備えることを特徴とする計測または検査方法。
【請求項１１】
請求項９または１０記載の計測または検査方法であって、
前記補正工程は、該電流値と予め定めた電流値とビーム位置ずれとの関係に基づき電子ビームの照射位置のずれを算出し、該照射位置のずれを補正するための偏向制御信号を算出する補正信号計算工程を備えることを特徴とする計測または検査方法。
【請求項１２】
請求項１１記載の計測または検査方法であって、
前記電子照射工程では、前記補正信号計算工程により算出された偏向制御信号に基づき、電子ビームの偏向を調整する偏向器を制御することを特徴とする計測または検査方法。
【請求項１３】
請求項９記載の計測または検査方法であって、
前記補正工程では、前記電子照射工程において出射した電子ビームが該鏡体を通る際に該鏡体に流れる電流値を直接計測する計測工程を備えることを特徴とする計測または検査方法。
【請求項１４】
請求項１３記載の計測または検査方法であって、
前記計測工程では、該鏡体の周囲に複数のセンサを配置し、該鏡体の表面を複数の領域に分割して電流を計測することで電流分布を求めることを特徴とする計測または検査方法。
【請求項１５】
請求項１４記載の計測または検査方法であって、
前記計測工程では、表面電流プローブまたは表面電流計測センサを用いて該鏡体に流れる電流値を計測することを特徴とする計測または検査方法。
【請求項１６】
請求項９記載の計測または検査方法であって、
前記補正工程では、計測した電流値に基づき該鏡体に流れる電流ノイズに基づく発生磁場を打ち消すような電流を算出して該鏡体に流すことを特徴とする計測または検査方法。
【発明の詳細な説明】
【技術分野】
【０００１】
本発明は、半導体基板を計測または検査する計測または検査装置およびそれを用いた計測または検査方法に関するものである。
【背景技術】
【０００２】
半導体製造プロセスにおいて、半導体ウェハ（半導体基板）上に形成される回路パターンの微細化が急速に進んでおり、それらのパターンが設計どおりに形成されているか否かを監視するプロセスモニタリングの重要性はますます増加している。
【０００３】
例えば、半導体装置の製造技術では、半導体装置の製造過程における異常や不良発生を、早期に、あるいは、事前に検知するため、各製造工程の終了時において半導体ウエハ上のパターン計測および検査が行われる。ウェハ上の回路等のパターンを計測および検査する電子ビームを用いた計測および検査方法及び計測および検査装置では、計測および検査対象のウェハに電子ビームをスキャンして照射し、発生する二次電子から計測や検出画像を生成し、計測や検出画像に基づいて、計測および検査を行う。例えば、欠陥検査装置の場合は、同様の回路パターンの画像同士を比較し、差が大きい場所を欠陥として判定を行う。計測装置の場合では、二次電子の発生量は試料の凹凸によって変化するので、二次電子信号を評価することにより試料表面の形状変化を捉えることが可能となる。特に、パターンのエッジ部で二次電子信号が急激に増加することを利用して、半導体回路パターンＳＥＭ像内でのエッジ位置を推定し、寸法の計測を行う。
【０００４】
そこで本発明は、半導体基板上に形成された回路パターンの加工良否を評価する電子ビーム式半導体検査および計測装置に係り、特に前記回路パターンの寸法値を計測する機能と異常や不良を検査する機能を備えた走査型電子ビーム式及びこれを用いた半導体パターン計測方法と欠陥検出方法を提供する。
【０００５】
パターンの断面形状上の所望の位置におけるパターン寸法を計測する技術として、特許文献１（特開２００６−０９３２５１号公報）には「走査型電子顕微鏡を用いて試料の二次電子画像を取得し、この取得した二次電子画像の中で寸法を計測するパターンの画像プロファイルを二次電子画像を用いて作成し、予め記憶しておいた断面の形状と寸法とが既知で形状が異なる複数のパターンのそれぞれの二次電子画像から得られた複数のパターンのそれぞれに対応する複数のモデルプロファイルの中から作成した画像プロファイルと最も一致するモデルプロファイルを検索し、この検索して得たモデルプロファイルの情報を用いてパターンの寸法を求めるようにした寸法計測方法およびその装置」が開示されている。
【０００６】
また、特許文献２（特開平７−３２６３１４号公報）には、荷電ビーム筐体に有害なノイズ電流が流れることによって生じる荷電ビームの振動を除去する方法として、「荷電ビームの通路を横切る向きの磁場に対して偏向感度を有する対物偏向ブロックの周囲を取り囲むように分流部材を配置し、分流部材の一端を投射レンズブロックに、他端は試料室に接続する方法および装置」が開示されている。
【先行技術文献】
【特許文献】
【０００７】
【特許文献１】特開２００６−０９３２５１号公報
【特許文献２】特開平７−３２６３１４号公報
【発明の概要】
【発明が解決しようとする課題】
【０００８】
近年の半導体ウエハ上の回路パターンの微細化に伴い、検査装置と計測装置においては計測精度や欠陥の検出感度の向上が要求されており、特に電子ビームに走査ずれが発生すると計測精度・検出感度を向上できないという課題を有している。
【０００９】
出射された電子ビームが半導体ウエハに照射されるまでの間、電子ビームは鏡体（カラム）内を通るが、電子ビームが通る際に鏡体にノイズ電流が流れ、その影響で電子ビームの照射位置にずれが生じるという課題がある。つまり、電子ビームの通路を横切る向きにノイズ磁場がある場合、電子ビームは偏向作用を受けて位置変動を生じ、本来照射すべき位置からずれた半導体ウエハ上に照射されることになる。これは、電子ビームの通路に沿った電気的導体部である鏡体にノイズ電流が流れ、その電流によって偏向磁界が発生するため、鏡体内部にノイズ磁場が生じることによって起こる。
【００１０】
また、鏡体は装置のグランドと接続されており、装置各部分の製造、組立誤差を始め、各部分の配線の接続や、鏡体各部分の接続ネジの締め具合などを完全に同じにすることは困難である。このように、装置間で製造誤差があると、各装置のグランドインピーダンスに差が発生して装置ごとに鏡体に流れる電流値が異なり、各装置での電子ビームによる照射位置にずれが発生して機差を生じさせる。特に電子ビーム式パターン寸法計測装置（ＣＤ−ＳＥＭ）に対して、機差低減は重要な課題となっている。
【００１１】
一方、特許文献１には、鏡体に流れる電流による電子ビームの照射位置ずれの課題については言及されていない。
【００１２】
また、特許文献２には電子ビームの走査ずれを生じる鏡体（カラム）に電流ノイズに対する電流をバイパスする別導体を追加することで、カラムに流れる電流ノイズを低減する技術が開示されている。しかし、鏡体に流れる電流ノイズの経路は１、２箇所ではないため、電流ノイズの流れる全ての箇所にバイパス経路を作ることは困難である。さらに、特許文献２に開示された技術では、単にカラムに流す電流の一部を減らしているのみであり、これにより電子ビームの照射位置ずれをある程度低減することはできるが、根本的な解決策ではない。
【００１３】
近年の回路パターンの微細化に伴い、カラム電流によるビーム揺れの問題に対して、より高い精度での対応が要求されており、前記のような従来の方法では解決が困難である。
【課題を解決するための手段】
【００１４】
本願において開示される発明のうち代表的なものの概要を簡単に説明すれば次のとおりである。
（１）電子ビームを被検査対象物に照射する電子照射系と、前記電子照射系から出射され該被検査対象物に照射されるまでの電子ビームを通す鏡体と、前記鏡体を通って出た電子ビームを該被検査対象物に照射して発生した二次電子を検出する二次電子検出系と、前記二次電子検出系にて検出した二次電子に基づく信号を信号処理する信号処理系と、前記電子照射系より出射した電子ビームが前記鏡体を通る際に前記鏡体に流れる電流値を計測し、該電流値と予め定めた電流値とビーム位置ずれとの関係に基づき電子ビームの照射位置を補正する補正手段と、を備える計測または検査装置である。
（２）電子ビームを被検査対象物に照射する電子照射工程と、前記電子照射工程により照射された電子ビームを該被検査対象物に照射して発生した二次電子を検出する二次電子検出工程と、前記二次電子検出工程にて検出した二次電子に基づく信号を信号処理する信号処理工程と、前記電子照射工程において出射された電子ビームが該電子ビームの出射元と該被検査対象物との間に配置された鏡体の間を通る際に、該鏡体に流れる電流値を計測し、該電流値と予め定めた電流値とビーム位置ずれとの関係に基づき電子ビームの照射位置を補正する補正工程と、を備える計測または検査方法である。
【発明の効果】
【００１５】
本発明によれば、走査型電子ビーム式計測および検査装置において高精度に被検査対象物を計測および検査することが可能となる。
【図面の簡単な説明】
【００１６】
【図１】本発明に係る走査型電子ビーム式計測および検査装置の第一の実施例の概略構成図である。
【図２】従来の電子ビーム式計測および検査装置の構成概略図である。
【図３Ａ】電子ビーム式計測および検査装置のビームのスキャン方向を示す斜視図である。
【図３Ｂ】試料の二次元画像の例を示す図である。
【図４Ａ】電子ビームの走査ずれが発生する様子を示す図である。
【図４Ｂ】電子ビームの走査ずれに起因する擬似欠陥があるときの検査画像と参照画像から得られる差画像の例を示す図である。
【図５】従来の走査型電子ビーム式計測および検査装置の構成概略図である。
【図６Ａ】鏡体電流ノイズの分布と電子ビーム走査ずれの相関関係マップを求める方法を示すフロー図である。
【図６Ｂ】相関関係マップの一例を示す図である。
【図７】本発明に係る走査型電子ビーム式計測および検査装置を用いた計測および検査方法のフロー図である。
【図８Ａ】電子ビームの走査ずれ検出用エッジパターンのイメージを示す図である。
【図８Ｂ】走査ビームずれを示す図である。
【図９】本発明に係る走査型電子ビーム式計測および検査装置の第二の実施例の概略構成図である。
【図１０】鏡体電流ノイズの分布と電子ビーム走査ずれの相関関係マップを求めるときのＧＵＩ画面のイメージを示す図である。
【図１１】本発明に係る走査型電子ビーム式計測および検査装置の第三の実施例の概略構成図である。
【図１２】鏡体電流ノイズの分布と電子ビーム走査ずれの相関関係式を求める方法を示すフロー図である。
【図１３】本発明に係る走査型電子ビーム式計測および検査装置の第四の実施例の概略構成図である。
【発明を実施するための形態】
【００１７】
以下、本発明の実施例について、図面に基づいて詳細に説明する。なお、実施例を説明するための全図において、同一の要素には同一の符号を付し、その繰り返しの説明は省略する。
以下において、図２、３Ａ、３Ｂおよび５を用いて従来の電子ビーム式計測および検査装置に関する一般的な装置構成および計測・検査方法を説明する。尚、図２、３および５は電子ビーム式計測および検査装置に関する一般的な動作を説明するために、その構成の一例を示したものであり、図示する構成に限られるものではない。
【００１８】
図２は、従来の電子ビーム式計測および検査装置の構成概略図である。従来の電子ビーム式計測および検査装置は、被検査対象物である試料２０３３を載置する試料台２０３４と、電子ビーム２０３１を射出する電子銃２００１、射出した電子ビームが通る鏡体２０３０、電子ビーム２０３１を集束する集束レンズ２０３６、偏向制御する偏向器２０３２、対物レンズ２０３７等の照射系と、照射された電子ビーム２０３１により試料２０３３から発生した二次電子を検出する検出器２０３５を備える検出系と、検出器２０３５で検出した二次電子をデジタル信号に変換する検出回路２０８１、検出回路２０８１で変換されたデジタル信号をもとに二次元の画像を生成する画像処理手段２０８２、検査条件を入力するＧＵＩ画面２００５、電子光学系を制御する電子光学制御手段２００２、偏向器２０３２を制御する偏向制御手段２００３、試料台２０３４等の機構系を制御する機構系制御手段２００６、画像処理手段２０８２から生成した二次元の画像を受信し、ＧＵＩに入力された検査条件に応じて電子光学制御手段２００２、偏向制御手段２００３、機構系制御手段２００６の制御を行う全体制御手段２０１０等の信号処理系とを備えて構成される。
【００１９】
電子銃２００１より射出した電子ビーム２０３１は、集束レンズ２０３６で集束され、偏向器２０３２を介して偏向制御され、対物レンズ２０３７等を経て試料２０３３をスキャンしながら照射される。電子ビーム２０３１が照射されると、試料２０３３からは二次電子２０３８が発生し、二次電子２０３８は検出器２０３５で検出される。
【００２０】
検出器２０３５で検出された信号は、検出回路２０８１によってデジタル信号に変換される。画像処理手段２０８２は、デジタル信号をもとに二次元の画像を生成する。検査装置の場合はこの画像内にある欠陥を検出し、その検出結果を全体制御手段２０１０に送信する。計測装置の場合はこの画像内に基づいてパターンを計測し、その計測結果を全体制御手段２０１０に送信する。全体制御手段２０１０は、ＧＵＩ画面２００５より入力された検査条件に応じて、電子光学制御手段２００２、偏向制御手段２００３、機構系制御手段２００６の制御を行う。
【００２１】
図３Ａは、電子ビーム式計測および検査装置のビームのスキャン方向を示す斜視図、図３Ｂは、電子ビームをＸ方向にスキャンして撮像したときに得られる試料の二次元画像の例を示す図である。ここでＸ、Ｙの座標は、例として電子ビームのスキャン方向をＸ方向、電子ビーム或いはステージの移動方向をＹ方向として図示した。
【００２２】
例えば、図３Ａに示す電子ビーム２０３１を図示するＹ方向へ連続的に移動させながら、Ｘ方向に繰返し走査するように偏向器２０３２を動作させて、前記繰返し走査に同期して試料２０３３から発生する二次電子２０３８を検出器２０３５で検出することで、図３Ｂに示す試料２０３３の二次元検出画像イメージ２０６０を得る。
尚、図２では、試料台２０３４は、図３Ａ、図３Ｂに表示するＸ方向またはＹ方向の２方向に連続的に移動する例を記したが、試料台２０３４が物理的に回転し、図示するＸ方向またはＹ方向の一方向のみに連続的に移動するものでも構わず、試料台２０３４の構成を限定するものではない。また、検出器２０３５は、試料２０３３から発生する二次電子２０３８を検出するように構成したが、試料２０３３から発生する透過電子若しくは吸収電子を検出するように構成してもよい。
【００２３】
近年の回路パターンの微細化に伴い、検査装置と計測装置における計測精度や欠陥の検出感度の向上が要求されており、特に電子ビームに走査ずれが発生すると計測精度・検出感度を向上できないという課題を有している。
【００２４】
図４Ａは、電子ビームの走査ずれが発生する様子を示す図、図４Ｂは、電子ビームの走査ずれに起因する擬似欠陥があるときの検査画像と参照画像から得られる差画像の例を示す図である。
【００２５】
図４Ａに示した電子ビーム式計測および検査装置は、射出された電子ビーム２０３１が偏向器２０３２により偏向制御されて試料２０３３に照射されるが、本来であれば電子ビーム２０３１として点線で記載されているように照射されるべきものが、照射位置がずれて試料２０３３上の異なる位置に照射されることがある。この、本来電子ビームが照射されるべき半導体ウエハ２０３３上の位置と、実際に照射される半導体ウエハ２０３３上の位置との差を走査ずれと呼ぶ。
【００２６】
図４Ｂの一番左の図が検査画像、真ん中の図が参照画像、一番右の図が検査画像と参照画像との差分である差画像である。電子ビーム式計測および検査装置では、検査対象である半導体ウェハ２０３３上の繰り返しパターン２０６０ａと２０６０ｂを比較し、その差異を利用して欠陥２０６１を検出・判定する。但し、上述の通り、一次電子ビーム２０３１の試料上における照射位置は、鏡体（カラム）側に流れているリターン電流から生じた磁界ノイズの影響により、目標照射位置から走査ずれが発生する。
【００２７】
走査ずれが発生すると、図４Ｂに示すように本来検出すべき正常部のパターンと異なる位置のパターンまたは信号強度２０３１a、２０３１ｂと２０３１ｃを検出することとなり、検出されたパターンは正常部のパターンとは異なる擬似欠陥２０６２ａ、２０６２ｂと２０６２ｃとなり、真の欠陥２０６１の判別ができなくなる。
【００２８】
同じく、計測装置の場合は、走査ずれが発生すると、二次電子から得た計測画像におけるパターンエッジが変形し、画像上のエッジパターンから計測したパターンサイズが実パターンサイズと異なり、計測誤差となるため、検査装置の場合と同様の課題が発生する。
【００２９】
ここで図５を用いて、装置鏡体（カラム）に流れる電流ノイズによる電子ビームの走査ずれの発生について説明する。
図５は、従来の走査型電子ビーム式計測および検査装置の構成概略図である。
図５に示すように、鏡体２０３０に設置された集束レンズ２０３６、コンデンサレンズ２０４５、絞り２０４４、偏向器２０３２、対物レンズ２０３７等電子ビーム２０３１の形状、軌道を制御する対象は、ケーブル２０４１a、２０４１ｂ、・・・２０４１ｎを経由して制御基板２０４２と接続されている。ここで、鏡体２０３０は、装置のグランド基準電位として制御線のグランドと接続されている。制御基板２０４２から鏡体２０３０へ転送される電流は、理想的には全てケーブル２０４１a、２０４１ｂ、・・・２０４１ｎ自身のグランド配線を経由して制御基板に戻るべきであるが、その一部は鏡体２０３０に流入してから、他のケーブル或いはグランド接続経路を経由して戻る。この時、鏡体２０３０に流れる電流２０４０は鏡体内部に磁場を発生させ、前記磁場が電子ビームの軌道制御に影響して、最終的にビーム走査ずれが生じる。
【００３０】
さらに、鏡体２０３０は装置のグランドと接続されており、装置各部分の製造、組立誤差を始め、各部分の配線の接続や、鏡体各部分の接続ネジの締め具合などを完全に同じすることは困難である。このように装置間で製造誤差があると、各装置のグランドインピーダンスに差が発生して装置ごとに鏡体電流が異なり、各装置での電子ビーム走査ずれの程度に差が発生して機差を生じさせる。特に電子ビーム式パターン寸法計測装置（ＣＤ−ＳＥＭ）に対して、機差低減は重要な課題になっている。
【実施例１】
【００３１】
図１および図６Ａ乃至図８Ｂ、図１０を用いて本発明に係る電子線半導体計測および検査装置の第一の実施例を説明する。
図１は、本発明に係る走査型電子ビーム式計測および検査装置の第一の実施例の概略構成図である。
【００３２】
図１の走査型電子ビーム式計測および検査装置は、ウェハの自動計測および検査装置への適用例であって、偏向器に偏向制御信号を出力して偏向器を制御する偏向制御手段２００３と、図示されていないが、図２と同様に装置全体の制御を行う全体制御手段（図２の２０１０に相当）と、偏向制御手段２００３により制御されて偏向器により偏向された電子ビームによる試料からの二次電子または反射電子を検出して信号処理する画像処理手段と、検査条件の入力と検査結果の表示を行うＧＵＩ画面（図２の２００５に相当）と、検査装置本体、鏡体２０３０と制御基板２０４２とをつなぐケーブル２０４１ａ、・・・２０４１ｎ、各ケーブル２０４１ａ、・・・２０４１ｎに流れる電流ノイズを計測する電流ノイズの計測手段２０５２、電流ノイズの検出手段２０５２に給電を行う電源ユニット２０５０、電子ビームの照射で発生した二次電子の検出・処理による電子ビームの走査ずれを検出する走査ずれ検出手段２０５１、鏡体電流ノイズから電子ビームの走査ずれを算出するリアルタイムビーム揺れ検出手段２０５３、電流ノイズの検出手段２０５２で検出した電流ノイズとリアルタイムビーム揺れ検出手段２０５３との検出結果に基づき補正信号を生成する補正信号生成手段２０５４等の補正手段とを備えて構成される。
【００３３】
電子銃２００１より射出した電子ビーム２０３１は、集束レンズ２０３６で集束され、偏向器２０３２を介して偏向制御され、対物レンズ２０３７等を経て試料２０３３をスキャンしながら照射される。電子ビーム２００１が照射されると、試料２０３３からは二次電子２０３８が発生し、二次電子２０３８は検出器２０３５で検出される。検出器２０３５で検出された信号をアナログ・デジタル変換と二次元画像を生成する手段で計測および検査用画像を生成し、画像処理部でパターンの計測や欠陥検査を行う。
【００３４】
鏡体に設置されたコンデンサレンズ、絞り、偏向器２００３、対物レンズ２０３７等電子ビーム２０３１の形状、軌道を制御する対象は、ケーブル２０４１a、２０４１ｂ、・・・２０４１ｎを経由して制御基板２０４２と繋がっている。そのとき、鏡体２０３０が装置のグランドとして上記制御線のグランドと繋がっている。制御基板２０４２から鏡体２０３０へ転送される電流が、理論的に全部自分のグランドを経由して制御基板２０４２に戻るべきだが、一部が鏡体２０３０に流して、その他のケーブル或いはその他のグランドに経由して戻している。そのとき、鏡体に電流２０４０が流れていると、鏡体２０３０内部に磁場が発生し、その磁場が電子ビーム２０３１の軌道を影響して、最終的にビームの走査ずれ２０３９が生じる。
【００３５】
制御ケーブル２０４１ａ・・・２０４１ｎの信号線を経由して制御基板２０４２から鏡体２０３０内に設置された制御対象に転送される電流と、制御ケーブル２０４１ａ・・・２０４１ｎのグランドを経由して外部制御基板に戻る電流との差をコモンモード電流ノイズと呼ぶ。このコモンモード電流ノイズが、鏡体２０３０を流れる電流のソースと考えられる。本発明では、各制御線ケーブル２０４１ａ・・・２０４１ｎの外部に電流計測センサ、例えばクランプ型電流プローブ２０４４ａ、２０４４ｂ、・・・２０４４ｎを設置して、上記コモンモード電流ノイズを測定することとした。電流プローブ２０４４ａ、２０４４ｂ、・・・２０４４ｎの出力を電流ノイズの検出手段２０５２に入力して、各電流線を経由して流れる電流ノイズの大きさと位相を検出する。
【００３６】
電源ユニット２０５０は、装置に給電する商用電源周波数及びその高調波ノイズを計測するために、電流ノイズの検出手段２０５２に装置への給電周波数と異なる周波数で給電する。例えば、装置への給電周波数が５０Ｈｚであれば、電流ノイズの検出手段２０５２に６０Ｈｚの電源を給電する。一方、装置が６０Ｈｚでの給電で動作すると、電流ノイズの検出手段２０５２を５０Ｈｚの電源で動作させる。このように装置と異なる周波数で動作する電流ノイズの検出手段２０５２の設置により、商用電源周波数およびその高調波周波数での微小な鏡体電流ノイズの高精度検出が可能となる。
【００３７】
走査ずれ検出手段２０５１は、画像の階調値が判別しやすいエッジパターンを用いて、電子ビームの照射で発生した二次電子の検出・処理による電子ビームの走査ずれを検出する。ここでは、各計測および検査のレシピ条件において、鏡体電流ノイズ分布と電子ビーム走査ずれの関係を相関マップの形で求める。
【００３８】
リアルタイムビーム揺れ検出手段２０５３は、鏡体電流ノイズから電子ビームの走査ずれを算出する。実計測および検査するときに、前記電流ノイズの検出手段２０５２を用いて、鏡体電流ノイズをリアルタイムで監視する。リアルタイムビーム揺れ検出手段２０５３では、監視結果と事前校正で得た電流ノイズとビーム揺れの相関関係マップを用いて、電子ビームの走査ずれをリアルタイムで算出する。算出された電子ビームの走査ずれ２０３９を補正する偏向制御信号を、補正信号生成手段２０５４で計算し、電子ビームの偏向走査制御手段２００３を経由して偏向制御手段２０３２に印加し、リアルタイムでビームの走査ずれを補正する。
【００３９】
次に、鏡体電流ノイズと電子ビーム走査ずれの相関関係マップを求める方法について図６Ａを用いて説明する。
図６Ａは、鏡体電流ノイズの分布と電子ビーム走査ずれの相関関係マップを求める方法を示すフロー図である。
まず、図１のＧＵＩ画面２００５から実検査・計測中に使用する可能な全計測条件をリスト化して、順番に設定する（Ｓ６０１）。
設定した計測条件において試料２０３３に電子ビーム２０３１を照射し、図１に示したクランプ型電流プローブ２０４４ａ・・・２０４４ｎで鏡体２０３０とグランドの間に繋がっている制御ケーブル２０４１ａ・・・２０４１ｎに流れるコモンモード電流ノイズを検出し、電流ノイズの検出手段２０３３で検出する(Ｓ６０２)。
その際に、Ｓ６０２と同時に、走査ずれ検出手段２０５１にて、試料２０３３のエッジに垂直方向にスキャンして得た二次元画像から電子ビームの走査ずれ２０３９を検出する（Ｓ６０３）。
Ｓ６０２において電流ノイズの検出手段２０３３で検出した鏡体電流ノイズ分布データと、Ｓ６０３においてそれに対応して走査ずれ検出手段２０５１で検出したする電子ビームの走査ずれデータとを、一旦メモリに保存する（Ｓ６０４）。
このＳ６０２からＳ６０４の作業をＳ６０１で設定したすべての計測条件について行う（Ｓ６０５）。
全計測および検査条件に対して測定終了後、装置使用時に可能な鏡体電流ノイズ分布とその対応する電子ビームの走査ずれのプロファイルを相関マップの形に纏めて、ルックアップテーブルに保存する（Ｓ６０６）。
【００４０】
図６Ｂは、図６Ａのフローに従って求めた相関関係マップの一例を示す図である。各計測条件１・・・Ｎに対して、鏡体電流分布１・・・Ｎとビームずれタイプ１・・・Ｎがそれぞれリスト化されている。
【００４１】
図８Ａは、電子ビームの走査ずれ検出用エッジパターンのイメージを示す図である。図６ＡのＳ６０３においては、走査ずれ検出手段２０５１にて図８Ａで示す一次電子の照射により発生した二次電子の差が大きいエッジウェハパターン８００１Ａ、例えば、マイクロスケールウェハパターンや積層パターン等、を利用して、３３のエッジに垂直方向にスキャンして得た二次元画像から電子ビームの走査ずれ２０３９を検出する。
図８Ｂは、走査ビームずれを示す図である。二次電子の差が大きいエッジウェハパターン８００１Ａにおいて、走査ずれ２０３９が発生している様子を示している。
【００４２】
図１０は鏡体電流ノイズと電子ビーム走査ずれの相関関係マップを求めるときのＧＵＩ画面のイメージを示す。図１０に示したように、ＧＵＩ画面５０００は、計測および検査条件に関する情報５００１と、電子ビームの走査ずれに関する検出用エッジパターンの情報５００２と、測定した鏡体電流ノイズの振幅、周波数、位相情報に関する情報５００３と、検出した電子ビームの走査ずれに関する周波数、振幅、位相情報５００４と、鏡体電流ノイズの分布情報と電子ビーム走査ずれプロファイル間の相関マップを示すルックアップテーブルのイメージ５００５等を表示する。
【００４３】
次に、図７を用いて検査・計測中に電子ビーム走査ずれのリアルタイム補正方法について説明する。
図７は、本発明に係る走査型電子ビーム式計測および検査装置を用いた検査方法のフロー図である。
【００４４】
まず最初に、通常の計測および検査が必要な事前調整、条件設定、レシピ設定などを行い、計測および検査を開始する（Ｓ７０１）。ここでは、通常計測および検査に関する一般的動作の説明を省略する。動作開始同時に、装置に設置された電流ノイズの検出手段２０５２を用いて、計測・動作中の鏡体電流ノイズ分布をリアルタイムで連続を計測監視する（Ｓ７０２）。監視した結果をもとに、リアルタイムビーム揺れ検出手段２０５３にて、図６で求めた相関関係マップのルックアップテーブルからその場合に対応する電子ビームのプロファイルを参照し、対応する電子ビームの走査ずれを算出する（Ｓ７０３）。算出されたビームの走査ずれを用いて補正信号生成手段２０５３で電子ビームの走査ずれを打ち消すのに必要な偏向制御信号を計算して（Ｓ７０４）、偏向制御手段２００３を経由して偏向器２０３２に印加する（Ｓ７０５）。
【００４５】
以上説明した実施例において、鏡体電流ノイズに起因した電子ビームの走査ずれをリアルタイムで検出・補正ができるので、ビームの走査ずれに起因したパターン寸法の計測誤差や、欠陥の検出感度が低下する擬似欠陥の問題を解決でき、走査型電子ビーム式半導体パターン寸法計測装置の計測精度、走査型電子ビーム式半導体欠陥検査装置の欠陥検出感度の向上が実現できる。さらに、本発明は、複数走査型電子ビーム式装置間の機差低減にも適用可能であることはいうまでもない。
【実施例２】
【００４６】
図９を用いて本発明に係る電子線半導体計測および検査装置の第二の実施例を説明する。
図９は、本発明に係る走査型電子ビーム式計測および検査装置の第二の実施例の概略構成図である。
本実施例における走査型電子ビーム式装置の基本構成は、第一の実施例とほぼ同様であるため、重複する部分についての詳細説明は省略し、第一の実施例と異なる部分について説明する。
【００４７】
本実施例では、鏡体電流ノイズの分布を計測する際に、鏡体に繋がる制御線ケーブルのコモンモード電流ではなく、鏡体の表面に流れる電流を直接計測する点が第一の実施例と異なる。そのため、本実施例では、第一の実施例で用いるクランプ型電流プローブではなく、表面電流を計測可能な表面電流プローブを使用する。
【００４８】
図９に示すように、鏡体の上部から下部まで複数の測定場所Ｐ１、Ｐ２、・・・Ｐｎにおいて、また、鏡体の円周方向にもＲ０、Ｒ１、・・・Ｒｍ−１において、全体的に鏡体表面をｎ×ｍ個の領域に分割して、各領域の表面電流を電流センサで検出し、検出結果を合成して鏡体電流の分布マップを作成する。
【００４９】
ここで作成した表面電流マップと、同時に測定した電子ビーム走査ずれの相関関係マップを求めることで、第一の実施例と同様に、計測および検査中にリアルタイムで得た鏡体表面電流マップから電子ビームの走査ずれを補正することができる。
【００５０】
尚、鏡体の表面電流を計測用センサとして、表面電流から発生する磁界を計測する表面電流プローブを用いて原理を説明したが、ホール素子を利用した表面電流計測センサを適用しても実現可能であることはいうまでもない。
【実施例３】
【００５１】
図１１、１２を用いて本発明に係る電子線半導体計測および検査装置の第三の実施例を説明する。
図１１は、本発明に係る走査型電子ビーム式計測および検査装置の第三の実施例の概略構成図であり、図１２は、鏡体電流ノイズの分布と電子ビーム走査ずれの相関関係式を求める方法を示すフロー図である。
本実施例における走査型電子ビーム式装置の基本構成は第１、および２の実施例とほぼ同様であるため、重複する部分についての詳細説明は省略し、ここでは、第１および２の実施例と異なる部分について説明する。
【００５２】
実施例１および実施例２では、鏡体表面電流ノイズと電子ビーム走査ずれの関係を全検査・計測条件にわたってルックアップテーブルの形を求めることで所期目標を達成するのに対し、本実施例では、鏡体電流ノイズの経路である鏡体に繋げている各制御線ケーブルに対し、リレー２０７１ａ・・・２０７１ｎを経由して、従来の装置制御基板以外に、新たに設置した電流発生手段２０７０に接続する点が異なる。
【００５３】
図１２を用いて、鏡体電流ノイズの分布と電子ビーム走査ずれの相関関係式を求める方法を説明する。
まず始めに、図１１の電流発生手段２０７０にて印加する電流値の条件を設定する（Ｓ１２０１）。
次に、外部から一定の振幅と位相を持つ電流を、Ｓ１２０１にて設定した条件に基づき制御線ケーブルに順番に印加して、制御ケーブル２０４１ａ・・・２０４１ｎに流れるコモンモード電流ノイズを検出する（Ｓ１２０３）。
Ｓ１２０３と同時に、その時点における電子ビーム走査ずれを同時に検出する（Ｓ１２０２）。
Ｓ１２０３において検出したコモンモード電流ノイズと、Ｓ１２０２においてそれに対応して検出した電子ビーム走査ずれとを、一旦メモリに保存する（Ｓ１２０４）。
このＳ１２０２からＳ１２０４の作業をＳ１２０１で設定したすべての計測条件について行う（Ｓ１２０５）。
鏡体電流ノイズ分布と電子ビームの走査ずれの相関関係は、基本的に多元多項式で表すことができる。印加する電流ノイズと対応する電子ビームの走査ずれ量から、実験計画法やタクチメソット、或いは最小二乗法等の手法を利用して、前記多項式の係数を求められる。鏡体電流ノイズの分布と電子ビーム走査ずれの相関関係式を求める（Ｓ１２０６）ために、一つ電流パスに対して、印加電流の大きさや位相条件を変えて複数回の計測が必要である。必要条件数の測定が終われば、ｎ個独立的な連立方程式からｎ個の鏡体電流ノイズパスに対応する係数を求められる（Ｓ１２０７）。
【００５４】
実検査・計測時においては、鏡体電流ノイズの分布をリアルタイムで監視して、監視した鏡体電流ノイズの結果を前記求めた電流ノイズとビーム走査ずれの関係式に代入することで、電子ビームの走査ずれをリアルタイムで算出でき、実施例１、２と同様にリアルタイムで電子ビームの走査ずれを補正できる。
【実施例４】
【００５５】
図１３を用いて本発明に係る電子線半導体計測および検査装置の第四の実施例を説明する。
図１３は、本発明に係る走査型電子ビーム式計測および検査装置の第四の実施例の概略構成図である。
本実施の形態における走査型電子ビーム式装置の基本構成は第１、２、３の実施の形態とほぼ同様であるため、重複する部分についての詳細説明は省略し、ここでは第１、2、３の実施の形態と異なる部分を主として説明する。
【００５６】
実施例１乃至３は、リアルタイムで算出された電子ビームの走査ずれに対して、ビームの偏向制御手段２００３に補正用偏向制御信号を印加することで電子ビームの走査ずれを補正することで所期目標を達成するものであるのに対して、本実施例は、同様の方法により算出した電子ビームの走査ずれに基づき、鏡体に別電流を印加して電子ビームの走査ずれを補正する点が異なる。
【００５７】
本実施例では、実計測および検査中に監視した鏡体電流ノイズの分布と、事前に求めた鏡体電流ノイズと電子ビーム走査ずれの相関関係式あるいは相関関係マップから、電子ビームの走査ずれを算出する。その後、鏡体２０３０に別電流を印加して電子ビームの走査ずれを補正する。
図１３において、デジタル・アナログ変換手段２０６１と低雑音アナログ信号増幅手段２０６２を含み、電子ビームの偏向軌道を影響しやすい鏡体２０３０の数個所に電流が印加可能な鏡体電流印加手段２０７０を別に設置した点が異なる。
【００５８】
具体的には、補正信号生成手段２０５４において、電流の印加場所に応じて鏡体２０３０に流れる電流ノイズから発生磁場を打ち消すように鏡体２０３０に印加する電流の振幅値、位相を計算し、電流印加手段２０７０から鏡体２０３０に当該電流を印加する。例えば、鏡体２０３０の円周に対して、数箇所に分かって鏡体電流ノイズの反対側に鏡体電流ノイズと同じ大きさの電流を印加する、或いは、電子ビーム走査ずれの方向、大きさから、前記走査ずれを補正できる場所に適切な振幅と位相を持つ鏡体電流を印加する等により、鏡体２０３０に流れる電流ノイズを相殺することで、、電子ビームの走査ずれを低減させることができる。
【００５９】
本発明によれば、走査型電子ビーム式装置に用いた半導体パターン計測装置と欠陥検査装置において、半導体パターン計測と同時に鏡体電流ノイズに起因した電子ビームの走査ずれを計測・補正することができ、走査型電子ビーム式計測および検査装置高精度化を実現できる。さらに、電子ビーム走査ずれの補正により、異なる装置間での精度ばらつきを低減して、計測および検査装置の機差低減を実現できる。
【符号の説明】
【００６０】
２０００…鏡体、２０１０…全体制御手段、２００２…電子光学制御手段、２００３…偏向制御手段、２００５…ＧＵＩ画面、２００６…機構系制御手段、２０３０、２００１…電子銃、２０３１…一次電子ビーム、２０３２…偏向器、２０３３…試料、２０３４…試料台、２０３５…検出器、２０３６…集束レンズ、２０３７…対物レンズ、２０３８…二次電子、２０３９…ビーム走査ずれ、２０８１…検出回路、２０８２…画像処理手段、２００１…電子源、２０４０…鏡体電流ノイズ、２０４１ａ―２０４１ｎ…鏡体電流ノイズパス、２０４２…制御基板、２０４３…装置電源、２０４４a-２０４４n…電流計測センサ、２０５０…鏡体電流ノイズ検出手段電源、２０５１…電子ビーム走査ずれ検出手段、２０５２…鏡体電流ノイズ検出手段、２０５３…鏡体電流ノイズと電子ビーム走査ずれの相関関係を求める手段、２０５４…電子ビーム走査ずれと補正信号の算出手段、２０６０、２０６０ａ、２０６０ｂ…試料の二次元画像イメージ、２０６０ｃ…差分画像イメージ、２０３１ａ、２０３１ｂ、２０３１ｃ…電子ビーム走査ずれ、２０６１…検査対象の欠陥、２０６２ａ、２０６２ｂ、２０６２ｃ…ビームの走査ずれに起因する擬似欠陥、
５０００…鏡体電流ノイズと電子ビーム相関関係を求めるＧＵＩ画面イメージ図
５００１…計測および検査条件に関する情報を示すイメージ図、
５００２…電子ビームの走査ずれを検出用エッジパターンの情報を示すイメージ図、
５００３…測定した鏡体電流ノイズの振幅、周波数、位相情報を示すイメージ図、
５００４…電子ビームの走査ずれに関する周波数、振幅、位相情報を示すイメージ図、
５００５…鏡体電流ノイズの分布情報と電子ビーム走査ずれプロファイル間の相関マップを示すルックアップテーブルのイメージ図、
８００１Ａ…計測対象のエッジパターンイメージ、
８００１Ｂ…ビームの走査ずれがあるエッジパターンの検出画像、
Ｐ１〜Ｐ８…鏡体上下方向の表面電流計測分割領域、
Ｒ１〜Ｒｎ…鏡体円周方向の表面電流計測分割領域
【図１】
0005478426.tif 000002
【図２】
0005478426.tif 000003
【図３Ａ】
0005478426.tif 000004
【図３Ｂ】
0005478426.tif 000005
【図４Ａ】
0005478426.tif 000006
【図４Ｂ】
0005478426.tif 000007
【図５】
0005478426.tif 000008
【図６Ａ】
0005478426.tif 000009
【図６Ｂ】
0005478426.tif 000010
【図７】
0005478426.tif 000011
【図８Ａ】
0005478426.tif 000012
【図８Ｂ】
0005478426.tif 000013
【図９】
0005478426.tif 000014
【図１０】
0005478426.tif 000015
【図１１】
0005478426.tif 000016
【図１２】
0005478426.tif 000017
【図１３】
0005478426.tif 000018